(57)【要約】本発明は、整形外科（ｏｒｔｈｏｐｅｄｉｃ）及び神経外科（ｎｅｕｒｏｓｕｒｇｅｒｙ）で頸椎（ｃｅｒｖｉｃａｌ  ｓｐｉｎｅ）に対する前方固定手術（ａｎｔｅｒｉｏｒ  ｆｉｘａｔｉｏｎ  ｓｕｒｇｅｒｙ）を行うときに用いられる前方頚椎プレートに関するもので、長さ方向に長く形成されるプレートボディと、前記プレートボディに形成され、骨固定ねじのヘッド部を支持する少なくとも２つの骨固定ねじ穴と、前記骨固定ねじ穴にそれぞれ挿入される骨固定ねじをロック状態にするロック部（ｌｏｃｋｉｎｇ  ｅｌｅｍｅｎｔ）とを含み、前記ロック部は前記プレートボディに回転可能に固定され、前記プレートボディの外周には補強部が配置されることを特徴とする。【選択図】図１
2019531863.tif 000002
【特許請求の範囲】
【請求項１】
長さ方向に長く形成されるプレートボディと、
前記プレートボディに形成され、骨固定ねじのヘッド部を支持する少なくとも２つの骨固定ねじ穴と、
前記骨固定ねじ穴にそれぞれ挿入される骨固定ねじをロック状態にするロック部（ｌｏｃｋｉｎｇ  ｅｌｅｍｅｎｔ）とを含み、
前記ロック部は前記プレートボディに回転可能に固定されることを特徴とする、頚椎プレート。
【請求項２】
前記プレートボディの外周には補強部が配置されることを特徴とする、請求項１に記載の頚椎プレート。
【請求項３】
前記プレートボディの長さ方向の両端部にはラウンド部が形成されることを特徴とする、請求項１に記載の頚椎プレート。
【請求項４】
前記ラウンド部は、互いに異なる曲率半径を有する２つの曲面からなることを特徴とする、請求項３に記載の頚椎プレート。
【請求項５】
前記プレートボディの上側端部に位置する曲面の曲率半径をＲ１とし、前記プレートボディの下側端部に位置する曲面の曲率半径をＲ２とし、前記骨固定ねじ穴に挿入される骨固定ねじのシャンクの半径をＬ１とし、前記骨固定ねじの中心軸から前記プレートボディの末端までの最短距離をＬ２とするとき、Ｒ２は、Ｒ１よりも小さいとともに、次の式を満足することを特徴とする、請求項４に記載の頚椎プレート。
2019531863.tif 000005
【請求項６】
前記骨固定ねじ穴と前記ロック部が配置される領域は、前記プレートボディの他の部分に比べて厚さが薄い座面部が形成されることを特徴とする、請求項１に記載の頚椎プレート。
【請求項７】
前記座面部の深さが前記ロック部の最大厚さ以下であることを特徴とする、請求項１に記載の頚椎プレート。
【請求項８】
前記プレートボディの長さ方向に対して垂直な方向に、前記プレートボディの底面に曲げ余裕部が形成されることを特徴とする、請求項１に記載の頚椎プレート。
【請求項９】
前記曲げ余裕部の深さが前記プレートボディの厚さの０．１〜０．３倍であることを特徴とする、請求項８に記載の頚椎プレート。
【請求項１０】
前記プレートボディの長さ方向に両端に位置したロック部間の曲率をＲ３とし、両端に位置したロック部から末端までの曲率をそれぞれＲ４とＲ５とするとき、Ｒ４およびＲ５はＲ３よりも小さいことを特徴とする、請求項１に記載の頚椎プレート。
【請求項１１】
前記Ｒ４およびＲ５が互いに異なることを特徴とする、請求項１０に記載の頚椎プレート。
【請求項１２】
前記Ｒ４およびＲ５が５≦Ｒ３／Ｒ４≦４４、５≦Ｒ３／Ｒ５≦４４であることを特徴と
する、請求項１０に記載の頚椎プレート。
【請求項１３】
前記Ｒ３、Ｒ４、Ｒ５が占める前記プレートボディの長さ方向による長さをＬ３、Ｌ４、Ｌ５とするとき、Ｌ３：Ｌ４：Ｌ５＝３〜５：１：０．８〜１．２であることを特徴とする、請求項１０に記載の頚椎プレート。
【請求項１４】
前記ロック部は、
前記プレートボディに回転可能に固定される回転ボディと、
前記回転ボディに一体に形成され、前記骨固定ねじ穴の一部を覆うロック翼とを含むことを特徴とする、請求項１に記載の頚椎プレート。
【請求項１５】
前記回転ボディの内部に工具ガイドホールが形成され、前記工具ガイドホールの上部周囲には前記工具ガイドホールと同心のロック工具溝が形成されることを特徴とする、請求項１４に記載の頚椎プレート。
【請求項１６】
前記ロック翼の一側には、前記回転ボディと同心の回転接触面が形成され、前記回転接触面に連続してロック接触面が形成されることにより、隣接する骨固定ねじ穴のロック部は、回転接触面で互いに当接した状態でそれぞれ独立して回転が可能であり、前記ロック接触面が互いに当接した状態で回転が制限されることを特徴とする、請求項１４に記載の頚椎プレート。
【請求項１７】
前記ロック翼には、前記ロック接触面に連続して回転阻止面が形成され、前記回転阻止面は、前記回転ボディの中心軸からの距離が前記回転接触面の曲率半径よりも大きいことを特徴とする、請求項１６に記載の頚椎プレート。
【請求項１８】
前記ロック翼は、前記座面部と接触した状態では弾性変形した状態であり、前記骨固定ねじ穴の一部を覆う状態では弾性力によって復元されることを特徴とする、請求項１４に記載の頚椎プレート。
【請求項１９】
前記骨固定ねじ穴と前記ロック部が配置される領域は、前記プレートボディの他の部分に比べて厚さの薄い座面部が形成され、前記ロック翼の底面にはロック開始部が形成され、前記座面部のうちの他方にはボディ開始部が形成され、前記ロック開始部と前記ボディ開始部との結合によって、前記ロック部の開放状態が、外力が加えられない限りは維持されることを特徴とする、請求項１４に記載の頚椎プレート。
【請求項２０】
前記プレートボディにはエンドストッパーが形成されることにより、前記ロック部の回転が制限されることを特徴とする、請求項１４に記載の頚椎プレート。
【請求項２１】
前記エンドストッパーにはボディ終了部が形成され、前記ロック翼の底面にはロック終了部が形成されることにより、前記ロック終了部と前記ボディ終了部との結合によって、前記ロック部のロック状態が、外力が印加されない限りは維持されることを特徴とする、請求項２０に記載の頚椎プレート。
【請求項２２】
前記プレートボディには、前記ロック部のロック翼が接触して乗り越えることができる山形のロック顎部が形成されることを特徴とする、請求項１４に記載の頚椎プレート。
【発明の詳細な説明】
【技術分野】
【０００１】
本発明は、前方頚椎プレートに関し、より詳細には、整形外科（ｏｒｔｈｏｐｅｄｉｃ）及び神経外科（ｎｅｕｒｏｓｕｒｇｅｒｙ）で頸椎（ｃｅｒｖｉｃａｌ  ｓｐｉｎｅ）に対する前方固定手術（ａｎｔｅｒｉｏｒ  ｆｉｘａｔｉｏｎ  ｓｕｒｇｅｒｙ）を行うときに用いられる前方頚椎プレートに関する。
【背景技術】
【０００２】
頚椎に発生した病気、例えば、頚椎の椎間板疾患（Ｃｅｒｖｉｃａｌ  Ｄｉｓｃ  Ｄｉｓｅａｓｅ）や頚椎ディスク（Ｃｅｒｖｉｃａｌ  Ｈｅｒｎｉａｌ  Ｄｉｓｃ）、頚椎骨折（Ｆｒａｃｔｕｒｅ）及び脱臼（Ｄｉｓｌｏｃａｔｉｏｎ）、頚椎性脊髄症（Ｃｅｒｖｉｃａｌ  Ｓｐｏｎｄｙｌｏｓｉｓ  Ｍｙｅｌｏｐａｔｈｙ）などは、それぞれの頚椎を動きがないように相互固定することにより治療及び矯正する場合が一般的であり、これにより、前記頚椎の固定のために、従来から頚椎固定装置の使用が普遍化されていた。
【０００３】
このような頸椎プレート（ｃｅｒｖｉｃａｌ  ｐｌａｔｅ）は、一般的に頚椎に使用されるインプラント（ｉｍｐｌａｎｔ）をいう。これは、通常、頸椎の前方（ａｎｔｅｒｉｏｒ  ａｐｐｒｏａｃｈ）に挿入されて上下頚椎を融合（ｆｕｓｉｏｎ）するとき、二つまたはそれ以上の頚椎を支持する役割を果たす。また、頚椎プレートは、一般に、骨固定ねじ（ｂｏｎｅ  ｓｃｒｅｗ）が頸椎プレートの骨固定ねじ穴を介して頚椎に挿入され、骨固定ねじのヘッドが頸椎プレートを圧迫して頚椎の前方に固定される。また、頚椎プレートは、頸椎の前弯（Ｌｏｒｄｏｓｉｓ）と類似の角度で曲がっており、手術の際に頚椎の前方に密着する形状を有する。
【０００４】
また、骨固定ねじが頸椎プレートから離脱すると、患者に致命的であり得るため、頚椎固定装置にロック機構（ｌｏｃｋｉｎｇ  ｅｌｅｍｅｎｔ）が設置され、前記ロック機構により骨固定ねじが頸椎プレートから離脱することを防止する。このような離脱防止のための従来技術としては、骨固定ねじが頸椎プレートから離脱しないように、スクリューヘッドの一部を覆う離脱防止ねじを補助的に頚椎プレートに結合させて使用する方式（ＵＳ５３６４３９９参照）や、頚椎プレートに一体に固定される回転式ロック機構（ｒｏｔａｔａｂｌｅ  ｌｏｃｋｉｎｇ  ｅｌｅｍｅｎｔ）を使用する方式（ＵＳ６１９３７２１参照）などの様々な技術が公知になっている。
【０００５】
しかし、従来技術では、手術後に患者が感じる異物感を解消することができる方案について考慮されたことがない。
【先行技術文献】
【特許文献】
【０００６】
【特許文献１】米国特許ＵＳ５３６４３９９
【特許文献２】米国特許ＵＳ６１９３７２１
【発明の概要】
【発明が解決しようとする課題】
【０００７】
本発明の目的は、手術時に医師が使用しやすいだけでなく、手術後に患者が感じる異物感を解決して手術の予後を向上させることができる前方頚椎プレートを提供することにある。
【課題を解決するための手段】
【０００８】
上記目的を達成するための本発明は、長さ方向に長く形成されるプレートボディと、前記プレートボディに形成され、骨固定ねじのヘッド部を支持する少なくとも２つの骨固定ねじ穴と、前記骨固定ねじ穴にそれぞれ挿入される骨固定ねじをロック状態にするロック部（ｌｏｃｋｉｎｇ  ｅｌｅｍｅｎｔ）とを含み、前記ロック部は前記プレートボディに回転可能に固定され、前記プレートボディの外周には補強部が配置されることを特徴とする、頚椎プレートを提供する。
【０００９】
前記プレートボディの長さ方向の両端部にはラウンド部が形成されることを特徴とする。
【００１０】
また、前記ラウンド部は、互いに異なる曲率半径を有する２つの曲面からなることを特徴とする。
【００１１】
また、前記プレートボディの上側端部に位置する曲面の曲率半径をＲ１とし、前記プレートボディの下側端部に位置する曲面の曲率半径をＲ２とし、前記骨固定ねじ穴に挿入される骨固定ねじのシャンクの半径をＬ１とし、前記骨固定ねじの中心軸から前記プレートボディの末端までの最短距離をＬ２とするとき、Ｒ２は、Ｒ１よりも小さいとともに、次の式を満足することを特徴とする。
2019531863.tif 000003
【００１２】
また、前記骨固定ねじ穴と前記ロック部が配置される領域は、前記プレートボディの他の部分に比べて厚さが薄い座面部が形成されることを特徴とする。
【００１３】
また、前記座面部の深さは前記ロック部の最大厚さ以下であることを特徴とする。
【００１４】
また、前記プレートボディの長さ方向に対して垂直な方向に、前記プレートボディの底面に曲げ余裕部が形成されることを特徴とする。
【００１５】
また、前記曲げ余裕部の深さは前記プレートボディの厚さの０．１〜０．３倍であることを特徴とする。
【００１６】
また、前記プレートボディの長さ方向に両端に位置したロック部間の曲率をＲ３とし、両端に位置したロック部から末端までの曲率をそれぞれＲ４とＲ５とするとき、Ｒ４およびＲ５はＲ３よりも小さいことを特徴とする。
【００１７】
また、前記Ｒ４およびＲ５は互いに異なることを特徴とする。
【００１８】
また、前記Ｒ４およびＲ５は、５≦Ｒ３／Ｒ４≦４４、５≦Ｒ３／Ｒ５≦４４であることを特徴とする。
【００１９】
また、前記Ｒ３、Ｒ４、Ｒ５が占める前記プレートボディの長さ方向による長さをＬ３、Ｌ４、Ｌ５とするとき、Ｌ３：Ｌ４：Ｌ５＝３〜５：１：０．８〜１．２であることを特徴とする。
【００２０】
また、前記ロック部は、前記プレートボディに回転可能に固定される回転ボディと、前記回転ボディに一体に形成され、前記骨固定ねじ穴の一部を覆うロック翼とを含むことを特徴とする。
【００２１】
また、前記回転ボディの内部に工具ガイドホールが形成され、前記工具ガイドホールの上部周囲には前記工具ガイドホールと同心のロック工具溝が形成されることを特徴とする。
【００２２】
また、前記ロック翼の一側には、前記回転ボディと同心の回転接触面が形成され、前記回転接触面に連続してロック接触面が形成されることにより、隣接する骨固定ねじ穴のロック部は回転接触面で互いに当接した状態でそれぞれ独立して回転が可能であり、前記ロック接触面が互いに当接した状態で回転が制限されることを特徴とする。
【００２３】
また、前記ロック翼には、前記ロック接触面に連続して回転阻止面が形成され、前記回転阻止面は、前記回転ボディの中心軸からの距離が前記回転接触面の曲率半径よりも大きいことを特徴とする。
【００２４】
また、前記ロック翼は、前記座面部と接触した状態では弾性変形した状態であり、前記骨固定ねじ穴の一部を覆う状態では弾性力によって復元されることを特徴とする。
【００２５】
また、前記ロック翼の底面にはロック開始部が形成され、前記座面部のうちの他方にはボディ開始部が形成され、前記ロック開始部と前記ボディ開始部との結合によって、前記ロック部の開放状態が、外力が加えられない限りは維持されることを特徴とする。
【００２６】
また、前記プレートボディにはエンドストッパーが形成されることにより、前記ロック部の回転が制限されることを特徴とする。
【００２７】
また、前記エンドストッパーにはボディ終了部が形成され、前記ロック翼の底面にはロック終了部が形成されることにより、前記ロック終了部と前記ボディ終了部との結合によって、前記ロック部のロック状態が、外力が加えられない限りは維持されることを特徴とする。
【００２８】
また、前記プレートボディには、前記ロック部のロック翼が接触して乗り越えることができる山形のロック顎部が形成されることを特徴とする。
【発明の効果】
【００２９】
本発明は、手術後に患者が異物感を感じないようにする。また、骨固定ねじが離脱しないように支持するロック部が姿勢を保つことができるため、手術後にも骨固定ねじが離脱するおそれを防止することができる。
【００３０】
その結果、頚椎プレートの製品完成度が向上し、患者と施術者からの信頼度が高くなることができる。
【図面の簡単な説明】
【００３１】
【図１】本発明の実施例１による頚椎プレートの斜視図である。
【図２】図１の頚椎プレートの平面図である。
【図３】図１の頚椎プレートの側面図である。
【図４】図１の頚椎プレートの底面図である。
【図５】図１の頚椎プレートの部分拡大斜視図である。
【図６】図１の頚椎プレートのロック部の斜視図である。
【図７】図１の頚椎プレートのロック部を工具を用いて操作する様子の斜視図である。
【図８】図１の頚椎プレートのロック部に工具が着脱される様子の斜視図である。
【図９】図１の頚椎プレートにおけるロック状態の部分拡大断面図である。
【図１０】図１の頚椎プレートにおける開放状態の部分拡大平面図及び断面図である。
【図１１】図１の頚椎プレートにおけるロック状態の部分拡大平面図及び断面図である。
【図１２】図１の頚椎プレートにおいて骨固定ねじが挿入された様子を示す部分拡大断面図である。
【図１３】図１の頚椎プレートの側面曲率を表示した側面図である。
【図１４】図１３における曲率のみを示す概略図である。
【図１５】本発明の実施例２による頚椎プレートの平面図である。
【図１６】図１５の頚椎プレートのロック部の斜視図である。
【図１７】本発明の実施例３による頚椎プレートの平面図および部分拡大平面図である。
【図１８】図１７の頚椎プレートのロック部の斜視図である。
【図１９】本発明の実施例４による頚椎プレートの部分平面図である。
【図２０】図１９におけるＡ−Ａ’方向に沿って切った断面図である。
【発明を実施するための形態】
【００３２】
以下、本発明の好適な実施例を添付図面を参照して説明する。下記の各図面の構成要素に参照符号を付加するにあたり、同一の構成要素に限っては、たとえ他の図面上に表示されても、できる限り同一の符号を持つようにし、本発明の要旨を不要に曖昧にするおそれがあると判断される公知の機能及び構成についての詳細な説明は省略する。
【００３３】
次に、図１乃至図１５を参照して、本発明の実施例１による頚椎プレートボディ１００を説明する。図１及び図２に示すように、前記頸椎プレート１００は、基本的に、長さ方向に長く形成されるプレートボディ１０２と、前記プレートボディ１０２に形成され、骨固定ねじ１０のヘッド部１２を支持する少なくとも２つの骨固定ねじ穴１３８と、前記骨固定ねじ穴１３８にそれぞれ挿入される骨固定ねじ１０をロック状態にするロック部（ｌｏｃｋｉｎｇ  ｅｌｅｍｅｎｔ）１１２とを含んでなる。
【００３４】
前記頸椎プレート１００は、チタンやＣｏ−Ｃｒ合金などの公知の材料で製作でき、これに限定されない。
【００３５】
前記ロック部１１は前記プレートボディ１０２に回転可能に固定され、前記プレートボディ１０２の外周には補強部１０６が配置できる。
【００３６】
前記補強部１０６は、前記プレートボディ１０２に比べて厚いか同じ厚さを有し、外側に向かって曲面を持つことにより、曲げ力やねじれなど、いろんな方向から作用する応力に対する剛性を向上させる役割を果たす。
【００３７】
また、前記プレートボディ１０２の長さ方向の両端部には、ラウンド部１０８が形成できる。前記ラウンド部１０８は、患者が手術後に感じる異物感を減少させることができるように、頚椎に前記頸椎プレート１００を設置したときに前記頚椎の表面から前記プレートボディ１０２の上面まで緩やかに変化する形状を有する。
【００３８】
このため、前記ラウンド部１０８は、互いに異なる曲率半径を有する２つの曲面からなることが好ましい。図１２に示されているように、前記プレートボディ１０２の上側端部に位置する曲面の曲率半径をＲ１とし、前記プレートボディ１０２の下側端部に位置する曲面の曲率半径をＲ２とし、前記骨固定ねじ穴１３８に挿入される骨固定ねじ１０のシャンクの半径をＬ１とし、前記骨固定ねじ１０の中心軸から前記プレートボディ１０２の末端までの最短距離をＬ２とするとき、次の式を満足することが好ましい。このとき、Ｒ１はＲ２よりも大きい。
［数式１］
2019531863.tif 000004
【００３９】
前記補強部１０６と前記ラウンド部１０８は、実施例１のように同時に形成されることも可能であるが、選択的に配置されることも可能である。
【００４０】
また、前記骨固定ねじ穴１３８と前記ロック部１１２が配置される領域は、前記プレートボディ１０２の他の部分に比べて厚さの薄い座面部１０４が形成できる。前記座面部１０４は、前記ロック部１１２が前記プレートボディ１０２に設置され、その厚さにより患者に異物感を与えることを抑制するためである。したがって、全体的な厚さを考慮すると、前記座面部１０４の最大深さは前記ロック部１１２の最大厚さ以下であることが理想的であり、設計に応じて、前記ロック部１１２が前記プレートボディ１０２の表面に比べて少しは突出することもできる。
【００４１】
また、前記プレートボディ１０２の長さ方向に対して垂直な方向に、前記プレートボディ１０２の底面に曲げ余裕部１１６が形成できる。一般に、患者ごとに脊椎がなす形状が異なり、手術時に頚椎プレート１００を患者に合わせて曲げて使用する場合が多い。このとき、前記頸椎プレート１００がチタンなどの材料からなっているため、曲げが容易でないだけでなく、曲げに大きな力が必要であるという問題がある。従って、実施例１では、図３及び図４に示されているように、前記曲げ余裕部１１６を前記プレートボディ１０２の底面に形成することにより、前記頚椎プレート１００の曲げをさらに容易に行うことができる。
【００４２】
ただし、前記曲げ余裕部１１６は、３対の骨固定ねじ穴１３８が配置される場合、隣接する２対の骨固定ねじ穴１３８の間に配置される。特に、前記座面部１０４を避けて配置されることが好ましい。
【００４３】
前記曲げ余裕部１１６の深さは、前記プレートボディの厚さの０．１乃至０．３倍にして、強度に大きな影響を与えることなく曲げを容易に行うことができるようにする。
【００４４】
前記プレートボディ１１４には、重量を減らす、応力を分散する、手術時に接触する脊椎面を確認することが可能な窓としての役割を果たすことができるカットオフ部１１４が形成できる。前記カットオフ部１１４は、およそ前記曲げ余裕部１１６が形成される位置に形成できる。
【００４５】
また、前記プレートボディ１０２は、椎体への密着のために、図１３及び図１４に示されているように、前記プレートボディ１０２の長さ方向に両端に位置したロック部１１２間の曲率をＲ３とし、両端に位置したロック部１１２から末端までの曲率をそれぞれＲ４およびＲ５とするとき、Ｒ４およびＲ５はＲ３よりも小さくすることにより、中心となるＲ３領域とその上下に位置する椎体の全体的な湾曲形状に対応することができる。
【００４６】
さらに、椎体の湾曲に応じて前記Ｒ４およびＲ５は互いに異なるように形成することも可能である。このとき、Ｒ４およびＲ５は、５≦Ｒ３／Ｒ４≦４４、５≦Ｒ３／Ｒ５≦４４を満足する範囲で決定できる。
【００４７】
前記Ｒ３、Ｒ４、Ｒ５が占める前記プレートボディ１０２の長さ方向による長さをＬ３、Ｌ４、Ｌ５とするとき、Ｌ４を１にすれば、Ｌ３：Ｌ４：Ｌ５＝３〜５：１：０．８〜１．２を満足する範囲で設計することができる。
【００４８】
前記ロック部１１２は、図５及び図６に示されているように、前記プレートボディ１０２に回転可能に固定される回転ボディ１３０と、前記回転ボディ１３０に一体に形成され、前記骨固定ねじ穴１３８の一部を覆うロック翼１１８とを含んで構成できる。
【００４９】
前記回転ボディ１３０は、図１５に示されているように、ロック装着部１４４に挿入されて固定されることにより、前記ロック部１１２が回転可能になる。図１５は実施例２を示す図であるが、ロック装着部１４４は、実施例１と同様なので参照して説明する。前記回転ボディ１３０は、前記ロック装着部１４４を通過させ、図９に示されているように、前記回転ボディ１３０の端部を打って固定部１３４を形成することにより固定できる。
【００５０】
前記ロック部１１２は、一つの骨固定ねじ１０に対して一つずつ配置される。また、前記プレートボディ１０２の長さ方向に垂直な方向に配置される一対の骨固定ねじ穴１３８に対して、２つのロック部１１２が互いに接触するように配置される。すなわち、前記ロック翼１１８の一側には、前記回転ボディ１３０と同心の回転接触面１２０が形成され、前記回転接触面１２０に連続してロック接触面１２２が形成される。その結果、２つの隣接するロック部１１２は、前記回転接触面１２０で互いに当接した状態でそれぞれが独立して回転が可能であり、前記ロック接触面１２２が互いに当接した状態ではそれ以上の回転が制限される。したがって、前記ロック接触面１２２が互いに接触した状態では、前記ロック部１１２が回転しないように、前記回転接触面１２０の曲率半径よりも前記回転ボディ１３０の中心軸からの前記ロック接触面１２２の距離が大きく形成され、無理に印加した力で前記ロック接触面１２２が相互加圧することにより摩擦力を大きくしてロック状態を維持することができる。
【００５１】
このような回転制限のために、さらに、前記ロック翼１１８には、前記ロック接触面１２２に連続して回転阻止面１２４が形成される。前記回転阻止面１２４は、前記回転ボディ１３０の中心軸からの距離が前記回転接触面１２０の曲率半径だけでなく、前記回転ボディ１３０の中心軸からの前記ロック接触面１２２の距離よりも大きく形成される。
【００５２】
言い換えれば、前記ロック部１１２の側面の曲面形状をカムのように異ならせることにより、前記ロック部１１２の回転を一定の範囲内でのみ許可することができ、ロック状態を維持することもできる。
【００５３】
前記ロック部１１２は、厚さが薄いので、工具などによって回転させるときに工具が滑る可能性がある。これを防止するために、前記ロック部１１２では、前記回転ボディ１３０の内部に工具ガイドホール１２６が形成され、前記工具ガイドホール１２６の上部周囲に前記工具ガイドホール１２６と同心のロック工具溝１２８が形成され得る。
【００５４】
また、これに対応するように、工具２０は、図５及び図６に示されているように、工具ロッド２４と、前記工具ロッド２４の一端に結合される工具ハンドル２２と、前記工具ロッド２４の他端に形成され、前記ロック工具溝１２８に締結される工具チップ２６と、前記工具チップ２６から延びるように形成され、前記工具ガイドホール１２６に挿入されて回転する工具チップガイド２８とを含むように製作される。
【００５５】
したがって、前記工具２０を挿入するとき、前記工具チップガイド２８が工具を前記工具ガイドホール１２６に挿入させ、前記工具ハンドル２２を少し回して、前記工具チップ２６が前記ロック工具溝１２８に締結されるようにした後、前記工具ハンドル２２を回転させると、安定的に前記ロック部１１２を回転させて開放状態またはロック状態に転換させることができる。
【００５６】
前記ロック部１１２のロック状態を維持することを補強するために、図１０及び図１１に示されているように、前記ロック翼１１８は、翼底面部１３２が前記座面部１０４と接触した状態では弾性変形した状態であり、前記骨固定ねじ穴１３８の一部を覆う状態では弾性力によって復元されることを特徴とする。したがって、ロック状態では、図９に示されているように、前記ロック翼１１８の端部が、前記骨固定ねじ１０のヘッド部１２に形成されたヘッド工具溝１６に挿入されながら、前記ヘッド部１２と接触することにより、前記骨固定ねじ１０の緩みを防止することができる。
【００５７】
また、前記座面部１０４にはエンドストッパー１１０がさらに配置できる。前記エンドストッパー１１０は、前記ロック部１１２の回転を制限することができる突起などの構造物であり、前記ロック部１１２の回転軌跡を考慮して配置される。実施例１では、前記エンドストッパー１１０が隣接の一対の骨固定ねじ穴１３８の間で、前記プレートボディ１０２の長さ方向の外側（末端方向）にオフセットされた位置に配置される。
【００５８】
その結果、前記ロック部１１２に追加的な力を加えても、前記ロック部１１２の回転は前記エンドストッパー１１０によって制限される。
【００５９】
次に、本発明の実施例２による頚椎プレート１０１を図１５及び図１６を参照して説明する。前記頸椎プレート１０１は、基本的に、実施例１による頚椎プレート１００と同一であるが、ロック部１１３の最初位置（開放状態）を維持することができることに特徴がある。実施例１と同様の部分については同一の符号を使用し、その説明は省略する。
【００６０】
前記ロック部１１３は、ロック翼１１８の翼底面部１３２にロック開始部１４２が形成され、座面部１０４には前記ロック開始部１４２に対応するボディ開始部１４０が形成される。
【００６１】
前記ボディ開始部１４０及び前記ロック開始部１４２のうち、一方には突起が配置され、他方には凹溝が配置される。その結果、前記ボディ開始部１４０と前記ロック開始部１４２との結合力によって、外力が加えられない限り、前記ロック部１１３の最初位置（開放状態）を維持することができる。
【００６２】
次に、本発明の実施例３による頚椎プレート１０３を図１７及び図１８を参照して説明する。前記頸椎プレート１０３は、基本的に、実施例２による頚椎プレート１００と同様であるが、ロック部１１５の最終位置（ロック状態）を維持することができることに特徴がある。実施例１と同一の部分については同一の符号を使用し、その説明は省略する。
【００６３】
エンドストッパー１１１にはボディ終了部１４８が形成され、ロック部１１５のロック翼１１８の底面にはロック終了部１４６が形成される。工具２０よって前記ロック部１１５を回転させると、前記ロック終了部１４６が前記エンドストッパー１１１の傾斜面を通って前記ボディ終了部１４８に締結される。したがって、前記ボディ終了部１４８と前記ロック終了部１４６との結合によって、前記ロック部１１５のロック状態が、外力が加えられない限りは維持できる。
【００６４】
また、本発明の実施例４による頚椎プレート１０５を図１９及び図２０を参照して説明する。前記頸椎プレート１０５は、基本的に、実施例１による頚椎プレート１００と同様であるが、ロック部１１３の最初位置（開放状態）及び最終位置（ロック状態）を維持することができることに特徴がある。実施例１と同一の部分については同一の符号を使用し、その説明は省略する。
【００６５】
このため、ロック部１１２は、実施例１と同様のものを使用し、さらに前記プレートボ
ディ１０２の座面部１０４にロック顎部１５０が形成される。前記ロック顎部１５０は、前記ロック翼１１８が乗り越えることができ、前記ロック翼１１８が前記ロック顎部１５０を完全に乗り超えると、さらに反対方向に回転しないように、一側は緩やかな傾斜面であり、他側は急な傾斜面または直角面である鋸歯状の山形に形成される。
【００６６】
したがって、前記ロック部１１２の開放状態では、前記ロック顎部１５０を乗り越えるために少し弾性変形するように力を加えなければならないので、前記ロック顎部１５０は、開放状態を維持することができる機能を持つ。また、前記ロック部１１２が前記ロック顎部１５０を完全に乗り越えると、前記ロック部１１３は、前記ロック顎部１５０に係止されて反対方向に回転することが難しくなる。その結果、ロック状態が維持できる。
【００６７】
上述した実施例１乃至４の特徴は、１つの頚椎プレートに全て含まれてもよく、選択的に含まれてもよい。
【００６８】
上述のように本発明の好適な実施例を参照して説明したが、当該技術分野における当業者であれば、下記特許請求の範囲に記載された本発明の思想及び領域から外れない範囲内で、本発明に多様な修正及び変更を加え得ることを理解することができるだろう。
【符号の説明】
【００６９】
１    椎体
２    ディスク
１０    骨固定ねじ
１２    ヘッド部
１４    ねじ山部
１６    ヘッド工具溝
２０    工具
２２    工具ハンドル
２４    工具ロッド
２６    工具チップ
２８    工具チップガイド
１００、１０１、１０３、１０５    頚椎プレート
１０２    プレートボディ
１０４    凹部
１０６    補強部
１０８    ラウンド部
１１０、１１１    エンドストッパー
１１２、１１３、１１５    ロック部
１１４    カットオフ部  
１１６    曲げ余裕部  
１１８    ロック翼  
１２０    回転接触面  
１２２    ロック接触面
１２４    回転阻止面  
１２６    工具ガイドホール
１２８    ロック工具溝
１３０    回転ボディ
１３２    翼底面部
１３４    固定部  
１３６    凹部表面
１３８    骨固定ねじ穴
１４０    ボディ開始部
１４２    ロック開始部
４４    ロック装着部
１４６    ロック終了部
１４８    ボディ終了部
１５０    ロック顎部
【図１】
2019531863.tif 000006
【図２】
2019531863.tif 000007
【図３】
2019531863.tif 000008
【図４】
2019531863.tif 000009
【図５】
2019531863.tif 000010
【図６】
2019531863.tif 000011
【図７】
2019531863.tif 000012
【図８】
2019531863.tif 000013
【図９】
2019531863.tif 000014
【図１０】
2019531863.tif 000015
【図１１】
2019531863.tif 000016
【図１２】
2019531863.tif 000017
【図１３】
2019531863.tif 000018
【図１４】
2019531863.tif 000019
【図１５】
2019531863.tif 000020
【図１６】
2019531863.tif 000021
【図１７】
2019531863.tif 000022
【図１８】
2019531863.tif 000023
【図１９】
2019531863.tif 000024
【図２０】
2019531863.tif 000025
【国際調査報告】
2019531863.tif 000026
2019531863.tif 000027
2019531863.tif 000028
2019531863.tif 000029
2019531863.tif 000030
2019531863.tif 000031
2019531863.tif 000032
2019531863.tif 000033